(57)【要約】【課題】プレイバック再生画面に状態遷移タイムチャートを自動的に付加する監視制御システムを得る。【解決手段】プレイバック再生部が、日時入力部１３に入力された日時に対応するプラントデータを記憶装置から呼び出し、入力された日時のプラント状態を再生するプレイバック再生画面１０と、タイムチャート部が、プレイバック再生画面１０上に表示されるシンボル情報１１に対応する監視項目２２について、入力された日時前後のタイムチャートを表示するタイムチャート画面２０とは、同一画面に表示されるようにした。【選択図】図２
2014089542.tif 000002
【特許請求の範囲】
【請求項１】
入力された日時に対応するプラントデータを記憶装置から呼び出し、監視項目をシンボルで表示したプレイバック再生画面上で、上記日時のプラント状態を再生するプレイバック再生部、
及び上記プレイバック再生画面上に表示された上記監視項目に対して、上記入力された日時前後のタイムチャート画面を表示するタイムチャート部を備え、
上記プレイバック再生画面と上記タイムチャート画面を同一画面で表示することを特徴とする監視制御システム。
【請求項２】
上記タイムチャート画面上に、上記プレイバック再生画面の再生日時を変更するためのヘアーラインカーソルを設けたことを特徴とする請求項１記載の監視制御システム。
【請求項３】
上記タイムチャート画面上に、同一パターン検索操作部を設け、上記タイムチャート部は、上記同一パターン検索操作部が操作されることにより、上記タイムチャート画面に表示されたパターンと類似のパターンの過去のプラントデータを検索することを特徴とする請求項１または請求項２記載の監視制御システム。
【請求項４】
タイムチャートを自由にオペレータが作成するタイムチャート作成部を備え、
上記タイムチャート作成部により作成されたタイムチャート画面上に、同一パターン検索操作部を設け、上記同一パターン検索操作部が操作されることにより、上記タイムチャート部は、上記作成されたタイムチャート画面に表示されたパターンと類似のパターンの過去のプラントデータを検索することを特徴とする請求項１または請求項２記載の監視制御システム。
【請求項５】
上記タイムチャート部は複数設けられ、それぞれ異なる日時のタイムチャート画面を同時に表示することを特徴とする請求項１〜請求項４のいずれか一項記載の監視制御システム。
【請求項６】
上記タイムチャート部は、上記タイムチャート画面で、監視制御システムのオペレータの操作とプラントからの情報を区別して表示することを特徴とする請求項１〜請求項５のいずれか一項記載の監視制御システム。
【発明の詳細な説明】
【技術分野】
【０００１】
この発明は、監視対象プラントの過去の運転データ、故障データを呼び出して、解析を行うプレイバック機能を有する監視制御システムに関するものである。
【背景技術】
【０００２】
従来の監視制御システムにおいては、プレイバック機能は過去の運転データ、故障データをプレイバック再生画面上で、一定期間の状態を再生させていた。
例えば、特許文献１では、過去の一定期間の状態を、時間の流れる速さを変えずに再生させているが、ある事象に対して、その前後の関連情報を容易に解析することが困難であった。
また、従来の監視制御システムでは、イベントの変化パターンにより過去に同様な事象が発生しているかどうかの検索ができなかった。
【先行技術文献】
【特許文献】
【０００３】
【特許文献１】特開２００３−５０６２２号公報（第６〜８頁、第１図）
【発明の概要】
【発明が解決しようとする課題】
【０００４】
従来の監視制御システムにおいては、プレイバック機能はプレイバック再生画面上で、時間の流れる速さを変えずに再生させているので、ある時点での運転データ、故障データしか確認することができずに、その前後の関連情報を得るためには、履歴機能等の別機能により情報を解析することが必要であった。
また、過去の同様なイベントの変化パターンを検索することができないなどの問題があった。
【０００５】
この発明は、上記のような課題を解決するためになされたものであり、プレイバック再生画面に状態遷移タイムチャートを自動的に付加する監視制御システムを得ることを目的とする。
【課題を解決するための手段】
【０００６】
この発明に係わる監視制御システムにおいては、入力された日時に対応するプラントデータを記憶装置から呼び出し、監視項目をシンボルで表示したプレイバック再生画面上で、日時のプラント状態を再生するプレイバック再生部、及びプレイバック再生画面上に表示された監視項目に対して、入力された日時前後のタイムチャート画面を表示するタイムチャート部を備え、プレイバック再生画面とタイムチャート画面を同一画面で表示するものである。
【発明の効果】
【０００７】
この発明によれば、入力された日時に対応するプラントデータを記憶装置から呼び出し、監視項目をシンボルで表示したプレイバック再生画面上で、日時のプラント状態を再生するプレイバック再生部、及びプレイバック再生画面上に表示された監視項目に対して、入力された日時前後のタイムチャート画面を表示するタイムチャート部を備え、プレイバック再生画面とタイムチャート画面を同一画面で表示するので、プレイバック再生中の状態だけでなく、プレイバック再生前後の一定時間の状態を容易に確認することができる。
【図面の簡単な説明】
【０００８】
【図１】この発明の実施の形態１による監視制御システムを示す構成図である。
【図２】この発明の実施の形態１による監視制御システムの表示画面を示す図である。
【図３】この発明の実施の形態２による監視制御システムの表示画面を示す図である。
【図４】この発明の実施の形態３による監視制御システムの表示画面を示す図である。
【図５】この発明の実施の形態４による監視制御システムを示す構成図である。
【図６】この発明の実施の形態４による監視制御システムの表示画面を示す図である。
【図７】この発明の実施の形態５による監視制御システムの表示画面を示す図である。
【図８】この発明の実施の形態６による監視制御システムの表示画面を示す図である。
【発明を実施するための形態】
【０００９】
実施の形態１．
以下、この発明の実施の形態１を図に基づいて説明する。
図１は、この発明の実施の形態１による監視制御システムを示す構成図である。
図１において、監視制御システム１００は、記憶装置と表示装置を有する計算機によって構成され、プレイバック再生部１とタイムチャート部２を備えている。
プレイバック再生部１は、記憶装置に格納された監視制御対象プラントデータ３から、過去の運転データ、故障データを呼び出して、監視項目について時間の流れを変えずに表示装置４の画面上に再生する。タイムチャート部２は、プレイバック再生部１の表示に対応する監視項目についてのタイムチャートを表示装置４に表示する。
監視制御対象プラントデータ３は、監視制御対象のプラントデータを時刻情報とともに記憶装置に格納されたものである。
【００１０】
図２は、この発明の実施の形態１による監視制御システムの表示画面を示す図である。
図２において、プレイバック再生部１が表示するプレイバック再生画面１０とタイムチャート部２が表示するタイムチャート画面２０とを同一画面に表示する。プレイバック再生画面１０は、監視項目のシンボル情報１１を表示し、記憶装置に格納された監視制御対象プラントデータ３から、監視制御対象プラントの過去の運転データ、故障データを呼び出して、時間の流れを変えずに再生する画面である。プレイバック再生画面１０には、画面番号入力部１２と、日時入力部１３と、時刻を進めたり、時刻を遡ったり、停止させたりするための時刻操作部１４が設けられている。
タイムチャート画面２０は、プレイバック再生画面１０のシンボル情報１１から、登録されているポイント情報２１を抽出し、該当の監視項目２２（該当機器の名称）についてのタイムチャートを表示する。ヘアーラインカーソル２３が、プレイバック再生画面１０に表示された日時に対応する日時を示している。ここで、ポイント情報２１は、プレイバック再生画面１０に表示されるシンボルの情報であり、監視制御システム内に持っている、各シンボルに対応する機器の名称と該当機器の状態データのアドレスを有する。
【００１１】
次に、動作について説明する。
画面番号入力部１２と日時入力部１３を用いて、あらかじめ登録されている（ａ）画面番号と、（ｂ）日時を入力すると、プレイバック再生部１は、プレイバック再生画面１０に過去のデータから読み込んだシンボル情報１１で示される監視項目について、入力日時のプラント状態の表示を行う。
一方、タイムチャート部２は、タイムチャート画面２０に、ポイント情報２１をもとに、（ｃ）該当の監視項目２２（該当機器の名称）が登録され、入力された日時の前後の過去データを参照し、タイムチャートを自動表示させる。
【００１２】
プレイバック再生画面１０の時刻操作部１４の操作に応じて、プレイバック再生画面１０の表示時刻とその時刻に対応するプラント状態の表示も変わり、また、タイムチャート画面２０のヘアラインカーソル２３の表示時刻とタイムチャートも連動して変化するようになっている。
プレイバック再生画面１０とタイムチャート画面２０を同一画面に表示させることで、関連項目の状態と時系列での状態変化を容易に把握することができる。
また、運転データ、故障データの呼び出しだけでなく、アナログ計測データ、パルス積算データを呼び出してグラフ表示してもよい。
【００１３】
実施の形態１によれば、タイムチャート画面をプレイバック再生画面と同一画面にて表示することにより、プレイバック再生中の状態だけでなく、一定時間の状態を容易に確認することができる。
【００１４】
実施の形態２．
図３は、この発明の実施の形態２による監視制御システムの表示画面を示す図である。
図３において、１０〜１３、２０、２２、２３は図２におけるものと同一のものである。図３では、ヘアーラインカーソル２３が、表示時刻の変更に用いられる。
【００１５】
実施の形態１では、プレイバックさせる時刻を変更する場合、プレイバック再生画面１０から日時を入力する必要があるが、実施の形態２では、図３に示すように、タイムチャート画面２０のヘアーラインカーソル２３を操作することにより、任意の時刻から再生させることが可能となり、タイムチャートを参照しながら再生させたい時刻を選択することができる。
すなわち、（ｄ）タイムチャート画面２０のヘアーラインカーソル２３を左右に移動させることによって、（ｅ）プレイバック再生画面１０の表示時刻を変更し、プレイバック再生画面１０に表示される状態の内容を変更させる。
【００１６】
実施の形態２によれば、タイムチャート画面に設けられたヘアーラインカーソルを移動させるだけで、プレイバック再生画面の表示内容を変更することができる。
【００１７】
実施の形態３．
図４は、この発明の実施の形態３による監視制御システムの表示画面を示す図である。
図４において、１０〜１３、２０、２２、２３は図３におけるものと同一のものである。図４では、タイムチャート画面２０に同一パターン検索ボタン２４（同一パターン検索操作部）を設けている。同一パターン検索ボタン２４をクリックすると、同一パターンの日時を一覧表示した検索結果表示ウィンドウ２５が表示され、その中の選択ボタン２６をクリックすると、対応する日時のタイムチャートが表示される。
【００１８】
実施の形態３は、タイムチャート部２に、タイムチャート画面２０のパターンを認識させ、図４に示すように、過去に類似パターンの事象がないかどうかを検索できる機能を設けた。
図４で、（ｆ）同一パターン検索ボタン２４をクリックすることにより、（ｇ）同一パターンの日時を検索結果表示ウィンドウ２５に表示させる。（ｈ）検索結果表示ウィンドウ２５の選択ボタン２６をクリックすることによりその日時のタイムチャートを表示する。
これにより、単一機器の状態での過去データ検索ではなく、関連項目の状態を考慮した過去の事象を容易に検索できるようになる。
【００１９】
実施の形態３によれば、単一機器の状態での過去データ検索ではなく、関連項目の状態を考慮した過去の事象を容易に検索することができ、異常時等の解析の効率化を図ることができる。
【００２０】
実施の形態４．
図５は、この発明の実施の形態４による監視制御システムを示す構成図である。
図５において、１〜４、１００は図１におけるものと同一のものである。図５では、監視制御システム１００に、オペレータが自由にタイムチャートを作成するタイムチャート作成部５を設けている。
【００２１】
図６は、この発明の実施の形態４による監視制御システムの表示画面を示す図である。
図６において、タイムチャート作成画面５０は、タイムチャート作成部５により、オペレータが自由にタイムチャートを作成するための画面である。このタイムチャート作成画面５０上の同一パターン検索ボタン５４（同一パターン検索操作部）をクリックすれば、実施の形態３と同様にして、タイムチャート作成部３で作成したタイムチャートと同一の過去のパターンを検索することができる。
【００２２】
実施の形態３では、実際に発生したタイムチャート画面のパターンを認識させて、過去の類似パターンと比較することを述べたが、実施の形態４は、図５、図６に示すように、タイムチャート作成部３を用いて、オペレータが自由にタイムチャートを作成し、この作成したタイムチャートと同様の過去のパターンを検索できるようにした。
すなわち、（ｊ）オペレータが自由にタイムチャートを作成する。（ｋ）同一パターン検索ボタン５４をクリックして、作成したタイムチャートと同様の過去のパターンを検索する。
【００２３】
実施の形態４によれば、オペレータが自由にタイムチャートを作成でき、このタイムチャートと過去に同様のパターンが発生していないかを容易に検索することができる。
【００２４】
実施の形態５．
図７は、この発明の実施の形態５による監視制御システムの表示画面を示す図である。
図７において、タイムチャート部２を二つ設け、タイムチャート画面１（２０ａ）とタイムチャート画面２（２０ｂ）を同時に表示する。タイムチャート画面１（２０ａ）には画面番号入力部２７ａと日時入力部２８ａが設けられ、タイムチャート画面２（２０ｂ）には画面番号入力部２７ｂと日時入力部２８ｂが設けられている。
【００２５】
実施の形態５は、二つの過去のデータの比較を容易にするために、図７に示すように、タイムチャート部を二つ設け、タイムチャート画面２０を二つ描画するようにすることにより、動作の比較を容易にすることが可能となる。
実施の形態４により、過去の類似のパターンを検索し、その類似のパターンについて、タイムチャート画面１（２０ａ）とタイムチャート画面２（２０ｂ）でそれぞれ日時を入力することにより、異なる時刻のタイムチャートを横並びで表示することができる。
【００２６】
実施の形態５によれば、過去の類似パターンを容易に比較することによって、発生パターンの解析を容易に行うことができる。
【００２７】
実施の形態６．
図８は、この発明の実施の形態６による監視制御システムの表示画面を示す図である。
図８において、２０ａ、２０ｂ、２７ａ、２７ｂ、２８ａ、２８ｂは図７におけるものと同一のものである。図８では、タイムチャートを、現場動作（プラントからの情報）と監視制御システムのオペレータによる操作との別が分かるように表示する。
【００２８】
実施の形態５では、タイムチャート画面を二つ表示することにより、動作の比較を容易にすることについて述べたが、実施の形態６は、図８に示すとおり、タイムチャートで現場動作とオペレータ操作を容易に見分けることができるように表示して、ある事象が発生した後に必要なオペレータ操作をタイムチャートから容易に判断できるようにしている。
【００２９】
実施の形態５によれば、タイムチャートで現場動作とオペレータ操作を容易に見分けることができるようにしたので、ある事象が発生したに後に必要なオペレータ操作をタイムチャートから容易に判断でき、オペレータの操作漏れをなくし、安全性を高めることができる。
【００３０】
なお、本発明は、その発明の範囲内において、各実施の形態を自由に組み合わせたり、各実施の形態を適宜、変形、省略することが可能である。
【符号の説明】
【００３１】
１  プレイバック再生部、２  タイムチャート部、３  監視制御対象プラントデータ、４  表示装置、５  タイムチャート作成部、１０  プレイバック再生画面、１１  シンボル情報、１２  画面番号入力部、１３  日時入力部、２０  タイムチャート画面、２１  ポイント情報、２２  監視項目、２３  ヘアーラインカーソル、２４  同一パターン検索ボタン、２５  検索結果表示ウィンドウ、２６  選択ボタン、２７  画面番号入力部、２８  日時入力部、５０  タイムチャート作成画面、５４  同一パターン検索ボタン、１００  監視制御システム。
【図１】
2014089542.tif 000003
【図２】
2014089542.tif 000004
【図３】
2014089542.tif 000005
【図４】
2014089542.tif 000006
【図５】
2014089542.tif 000007
【図６】
2014089542.tif 000008
【図７】
2014089542.tif 000009
【図８】
2014089542.tif 000010